(57)【要約】      （修正有）【課題】蒸気を逃がすことが可能であるが、積み重ねた程度の軽い負荷では隙間が生じない弁を備えた包装用容器の蓋を提供する。【解決手段】本考案は、蓋１０の天板部１１にレーザー光線照射により切込みを設けることで弁体１２，１３，３２を形成すると共に、弁体の一部に切込みを行わない接続部を設けて構成する。別の考案では接続部を複数設ける。また、切込みの幅を０．３〜０．５ｍｍに、接続部の長さを０．３〜０．５ｍｍに構成する。更に別の考案は、切込みをレーザー光線のハーフカット加工により設ける。また、ハーフカット加工による切残し厚みを０．０１ｍｍ〜０．１ｍｍに、切込みの幅を０．５〜１．０ｍｍに構成する。【選択図】図８
0003218049.tif 000002
【実用新案登録請求の範囲】
【請求項１】
容器本体内部に食品を収容した状態で電子レンジで加熱することが予定された包装用容器本体に被せる蓋であって、蓋体の天板部にレーザー光線照射により切込みを設けることで弁体を形成すると共に、該弁体の一部に切込みを行わない接続部を設けたことを特徴とする包装用容器の蓋。
【請求項２】
接続部を複数設けた請求項１に記載の包装用容器の蓋。
【請求項３】
切込みの幅が、０．３〜０．５ｍｍである請求項１又は請求項２に記載の包装用容器の蓋。
【請求項４】
接続部の長さが、０．３〜０．５ｍｍである請求項１乃至請求項３いずれかに記載の包装用容器の蓋。
【請求項５】
容器本体内部に食品を収容した状態で電子レンジで加熱することが予定された包装用容器本体に被せる蓋であって、蓋体の天板部にレーザー光線のハーフカット加工により切込みを設けることで弁体を形成した包装用容器の蓋。
【請求項６】
ハーフカット加工による切残し厚みが０．０１ｍｍ〜０．１ｍｍである請求項６に記載の包装用容器の蓋。
【請求項７】
切込みの幅が、０．５〜１．０ｍｍである請求項６又は請求項７に記載の包装用容器の蓋。
【考案の詳細な説明】
【技術分野】
【０００１】
本考案は弁当や各種の調理済み食品等を収容する場合などに用いる食品包装用容器の蓋に関し、より詳しくは電子レンジで加熱した際に発生する蒸気を、外部に放出するための弁を備えると共に虫の混入を防ぐことが可能な包装用容器の蓋に関する。
【背景技術】
【０００２】
スーパーやコンビニエンスストアなどの小売店の店頭には、弁当や各種の調理済み食品が包装用容器に包装されて数多く陳列されている。
【０００３】
かかる包装用容器は、食品等を収容可能に構成された容器本体と、該容器本体の開口部に着脱自在に取り付けられた蓋体と、当該蓋体を、内容物を収容した容器本体の開口部に取り付けた状態で、容器本体と蓋体とを固定するフィルム包装材とを備えるものである。
【０００４】
上記のように食品等を収容したうえでフィルム包装された包装用容器は、フィルム包装されたそのままで電子レンジを用いて加熱されることが多い。
【０００５】
上記のような用途に用いられる包装用容器にあっては、容器本体内に収容した食品の液汁等が外部に漏れないように密閉性を確保すると共に、電子レンジで加熱した際に発生する水蒸気で容器が過度に膨張したり、破裂しないように水蒸気を容器外に放出させることが要求される。そこで蓋体に弁を設けたり、あるいは孔部を設けて水蒸気を外部に放出することが行われている。
【０００６】
特許文献１には、電子レンジで加熱したとき容器内部で発生する水蒸気の圧力によって部分的にコーナー部の嵌合を解除して、水蒸気を外部に放出させる包装用容器が開示されている。
【０００７】
特許文献２には、容器本体のフランジあるいは蓋体のフランジのいずれか少なくとも一方に、排気孔を形成した包装用容器が開示されている。
【０００８】
特許文献３には、包装用容器の蓋に切り込みを設けることで弁を形成し、蒸気を逃がす
ことが可能な包装用容器が開示されている。
【０００９】
特許文献４には、レーザー光線を照射することで蓋に排気孔を設けた包装用容器が開示されている。
【先行技術文献】
【特許文献】
【００１０】
【特許文献１】特開２００１−９７４３６号公報
【特許文献２】特開２００７−２７６８３５号公報
【特許文献３】登録実用新案公報第３１３８６０１号公報
【特許文献４】特開２０１７−８１５９９号公報
【考案の開示】
【考案が解決しようとする課題】
【００１１】
上記の通り、食品等を包装した容器は、蒸気を逃がす手段を設けることが望まれる。
【００１２】
かかる手段として蓋にトムソン刃や凹凸刃といった手段で弁を設けた場合、切断面にクリアランスが極わずかしかないため、弁が容器本体側に落ち込まないようにしておく必要がある。なぜなら、弁が容器本体側に落ち込んでしまうと、加熱により容器本体内部に圧力が発生しても切断面が引っ掛かり、弁が開かない恐れがあるからである。かように加熱時に弁が開かないと、蓋が外れてしまう恐れもある。
【００１３】
そこで、弁をあらかじめ容器本体と反対側に持ち上げておくと、当該隙間から虫などの異物が侵入する恐れがある。また、弁が持ち上がった状態だと輸送中の衝撃などで弁が破損し、容器本体内、すなわち食品上に破損物が落下する恐れがある。
【００１４】
そこで本考案は常に弁としての作用を維持できると共に、虫などの異物の侵入を可及的に抑制可能な弁を備えた包装用容器の蓋を提供することを目的とする。
【課題を解決するための手段】
【００１５】
上記課題を解決する本考案の構成は、以下の通りである。
【００１６】
（１）  請求項１に記載の考案は、容器本体内部に食品を収容した状態で電子レンジで加熱することが予定された包装用容器本体に被せる蓋であって、蓋体の天板部にレーザー光線照射により切込みを設けることで弁体を形成すると共に、該弁体の一部に切込みを行わない接続部を設けて構成した。
【００１７】
（２）  請求項２に記載の考案は、請求項１に記載の包装用容器の蓋において、接続部を複数設けて構成した。
【００１８】
（３）  請求項３に記載の考案は、請求項１又は請求項２に記載の包装用容器の蓋において、切込みの幅を０．３〜０．５ｍｍに構成した。
【００１９】
（４）  請求項４に記載の考案は、請求項１乃至請求項３いずれかに記載の包装用容器の蓋において、接続部の長さを０．３〜０．５ｍｍに構成した。
【００２０】
（５）  請求項５に記載の考案は、容器本体内部に食品を収容した状態で電子レンジで加熱することが予定された包装用容器本体に被せる蓋であって、蓋体の天板部にレーザー光線のハーフカット加工により切込みを設けることで弁体を形成した。
【００２１】
（６）  請求項６に記載の考案は、請求項６に記載の包装用容器の蓋において、ハーフカット加工による切残し厚みを０．０１ｍｍ〜０．１ｍｍに構成した。
【００２２】
（７）  請求項７に記載の考案は、請求項６又は請求項７に記載の包装用容器の蓋において、切込みの幅が、０．５〜１．０ｍｍに構成した。
【考案の効果】
【００２３】
上記のように構成される本考案が、如何に作用して課題を解決するかを図面を参照しながら概説する。
【００２４】
図１は請求項１に記載の考案における弁体１２の説明図である。弁体１２は図８に示される蓋１０の上方から下方に至る、切込み１５を設けると共に、該弁体１２の一部に切込みを行わない接続部１４を設けてある。なお、図８におけるＵは上方をＤは下方を示している。かかる接続部１４が存在することで、容易には弁体１２が容器本体側に落ち込まない構造となっている。
【００２５】
また、弁体１２はレーザー光線照射により切込みを設けることで形成されていることから、クリアランスが発生することになる。つまりは仮に容器本体側に弁体１２が落ち込んでも、加熱時による内圧で弁体１２が持ち上がり、蒸気を容器本体２０から放出することが可能となるものである。
【００２６】
また、弁体１２の上面と蓋体１０の上面が同一面となるため、輸送時等の衝撃といった外的要因で弁体１２が破損する恐れが低減されると共に、虫などの異物の侵入を可及的に抑制することが可能となる。
【００２７】
他方で、電子レンジで加熱する際には、指で弁体１２を押せば、接続部１４が切り離され、弁体１２が容器本体側に落ち込み、つまりは蒸気を容器本体から逃がすことが可能となるのである。
【００２８】
図４は請求項２に記載の考案における弁体１３の説明図である。弁体１３は図８に示される蓋１０の上方から下方に至る、切込み１５を設けると共に、該弁体１３の一部に切込みを行わない接続部１４を複数設けてある。かかる接続部１４が存在することで、容易には弁体１３が容器本体側に落ち込まない構造となっている。
【００２９】
また、弁体１３はレーザー光線照射により切込みを設けることで形成されていることから、クリアランスが発生することになる。つまりは仮に容器本体側に弁体１３が落ち込んでも、加熱時による内圧で弁体１３が持ち上がり、蒸気を容器本体２０から放出することが可能となるものである。
【００３０】
また、弁体１３の上面と蓋体１０の上面が同一面となるため、輸送時等の衝撃といった外的要因で弁体１３が破損する恐れが低減されると共に、虫などの異物の侵入を可及的に抑制することが可能となる。
【００３１】
他方で、電子レンジで加熱する際には、指で弁体１３を押せば、接続部１４が切り離され、弁体１３が容器本体側に落ち込み、つまりは蒸気を容器本体から逃がすことが可能となるのである。
【００３２】
図５は請求項５に記載の考案における弁体３２の説明図である。弁体３２は蓋３０に、レーザー光線のハーフカット加工により、図８に示される蓋１０の上方から下方に至らない程度の切込み３４を設けてある。かように切込み３４が下方まで貫通していないことから、容易には弁体３２が容器本体側に落ち込まない構造となっている。
【００３３】
つまりは、輸送時の衝撃といった程度の軽い負荷では隙間が生じない弁を備えた包装用容器の蓋の提供が可能となるのである。他方で、電子レンジで加熱する際には、指で弁体３２を押せば、切込み３４は肉薄であることから切り離され、弁体３２が容器本体側に落ち込み、つまりは蒸気を容器本体から逃がすことが可能となるのである。
【図面の簡単な説明】
【００３４】
【図１】請求項１記載の弁体を示す説明図
【図２】請求項１記載の弁体を示す説明図
【図３】請求項１記載の弁体を示す説明図
【図４】請求項２記載の弁体を示す説明図
【図５】請求項５記載の弁体を示す説明図
【図６】請求項５記載の弁体を示す説明図
【図７】請求項５記載の弁体を示す説明図
【図８】蓋及び容器本体を示す概略説明図
【図９】蓋及び容器本体を示す概略説明図
【考案を実施するための形態】
【００３５】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。
【００３６】
本考案にかかる包装用容器の蓋１０は、図８に示すように容器本体２０の開口部２１に嵌め込まれて使用されるものである。容器本体部２０内には食品が収容され、蓋１０が被せられた状態のまま、電子レンジのマイクロ波照射により加熱調理されるものである。また、図９に示さるように、蓋１０を容器本体２０に嵌合した状態で、フィルム４０でシュリンクパックして販売され、そのままの状態でレンジで加熱されることも多い。
【００３７】
蓋１０は上方から見た際に円形を呈するように図示されているが、その形状は容器本体２０の開口部に応じて適宜であり、多角形や楕円形等の形状とすることも可能である。
【００３８】
蓋１０は安価かつ簡便に量産して製造できる合成樹脂のシートから形成される。具体的には、ポリエチレン、ポリプロピレン、ポリスチレン、ポリエチレンテレフタレート（ＰＥＴ樹脂）等の熱可塑性樹脂シートを利用可能であり、真空、圧空、または真空圧空により金型に密着・加熱させることで成形されるものである。
【００３９】
本考案に係る弁体１２,１３,３２は、蓋１０の天板部１１に設けられる。以下、各弁体につき詳述する。
【００４０】
請求項１記載に係る弁体１２は、天板部１１に切込み１５を設けて形成されるものである。切込み１５は、図１に示すように両端が円弧状に拡開し（１５ａ）、該円弧状に拡開する部分の上端から上部に直線状に伸び（１５ｂ）、その上端で円弧状部（１５ｃ）が形成されるものである。そして、円弧状部１５ｃ，１５ｃの間には、切込みが設けられていない接続部１４が一箇所存するものである。勿論かかる形状は一例であり、図２に示されるように円弧状に形成してもよいし、図３に示されるように、コ字状に形成してもよい。
【００４１】
請求項２に記載の考案では、図４に示されるように切込みが設けられていない接続部１４が複数設けられている。かかる構造とすることで、指で押した際に、より容易に弁体１３を容器本体２０側に押し込みやすくなるものである。接続部１４を設ける個数は、使用するシート素材、厚み、弁のサイズにより適宜設定すればよいが、概ね２〜５個設けることが好ましい。
【００４２】
請求項３に記載の考案はで、請求項１又は請求項２に記載の包装用容器の蓋において、切込みの幅を０．３〜０．５ｍｍに形成してある。０．５ｍｍを超えると虫その他の異物の混入が生じやすく、０．３ｍｍより狭いと、レーザー加工時に再溶着する恐れがあると共に、切込み１５とその周囲の部分とが係合して、押し込んだ弁が元に戻りにくくなるからである。
【００４３】
請求項４に記載の考案は、請求項１乃至請求項３いずれかに記載の包装用容器の蓋において、接続部の長さを０．３〜０．５ｍｍに形成してある。０．５ｍｍを超えると弁体を押し込んだ際にクラックが入る可能性があり、０．３ｍｍより短いと、搬送中や包装用容器を積み重ねた際に、弁体が押し込まれ、隙間が生じてしまう恐れがあるからである。
【００４４】
請求項１乃至請求項４に記載の考案において、切込み１５はレーザー光線照射により穿設してある。レーザー光線は加工出力を得ることができる種類であれば、特段限定されず、炭酸ガスレーザー、ＹＡＧレーザー、半導体レーザー、アルゴンレーザー等の各種レーザーが使用される。
【００４５】
請求項５記載に係る弁体３２は、図５に示すように、天板部１１に切込み３４を設けて形成されるものである。この切込み３４は、レーザー光線のハーフカット加工によるものである。ハーフカット加工のためのレーザー光線は、天板部１１の表面側または裏面側のいずれに照射してもよい。
【００４６】
切込み３４は、図５に示すように両端が円弧状に拡開し（３４ａ）、該円弧状に拡開する部分の上端から上部に直線状に伸び（３４ｂ）、その上端で円弧状部（３４ｃ）が形成されるものである。勿論かかる形状は一例であり、図６に示されるように円弧状に形成してもよいし、図７に示されるように、コ字状に形成してもよい。
【００４７】
請求項６に記載の考案は、ハーフカット加工による切残し厚みを０．０１ｍｍ〜０．１ｍｍに形成してある。０．１ｍｍを超えると、指で弁体３２を押しても切り離しが困難であり、０．０１ｍｍより薄いと、搬送中や包装用容器を積み重ねた際に、弁体が押し込まれ、隙間が生じてしまう恐れがあるからである。なお、ハーフカット加工により、切込み３４が部分的に貫通しても、蓋体１０が合成樹脂シート製であることから、このような貫通部位もレーザー加工時の熱により密着ないし合接され、貫通部位から内容物の液漏れを生ずることはない。
【００４８】
請求項７に記載の考案は、切込み３４の幅を、０．５〜１．０ｍｍに構成した。１．０ｍｍを超えると、１回のレーザー光照射加工で切込みを設けることは出来ず、加工回数が増えコスト増となるからである。他方で０．５ｍｍより狭いと、切込み３４とその周囲の部分とが係合して、指で弁体３２を押し込みにくくなるからである。
【００４９】
請求項５乃至請求項７に記載の考案において、切込みはレーザー光線照射により穿設してある。レーザー光線は加工出力を得ることができる種類であれば、特段限定されず、炭酸ガスレーザー、ＹＡＧレーザー、半導体レーザー、アルゴンレーザー等の各種レーザーが使用される。
【符号の説明】
【００５０】
１０・・蓋
１２・・弁体
１３・・弁体
１４・・接続部
１５・・切込み
３２・・弁体
３４・・切込み
【図１】
0003218049.tif 000003
【図２】
0003218049.tif 000004
【図３】
0003218049.tif 000005
【図４】
0003218049.tif 000006
【図５】
0003218049.tif 000007
【図６】
0003218049.tif 000008
【図７】
0003218049.tif 000009
【図８】
0003218049.tif 000010
【図９】
0003218049.tif 000011
【手続補正書】
【提出日】平成30年7月19日(2018.7.19)
【手続補正１】
【補正対象書類名】実用新案登録請求の範囲
【補正対象項目名】全文
【補正方法】変更
【補正の内容】
【実用新案登録請求の範囲】
【請求項１】
容器本体内部に食品を収容した状態で電子レンジで加熱することが予定された包装用容器本体に被せる蓋であって、蓋体の天板部にレーザー光線照射により切込みを設けることで弁体を形成すると共に、該弁体の一部に切込みを行わない接続部を設けたことを特徴とする包装用容器の蓋。
【請求項２】
接続部を複数設けた請求項１に記載の包装用容器の蓋。
【請求項３】
切込みの幅が、０．３〜０．５ｍｍである請求項１又は請求項２に記載の包装用容器の蓋。
【請求項４】
接続部の長さが、０．３〜０．５ｍｍである請求項１乃至請求項３いずれかに記載の包装用容器の蓋。
【請求項５】
容器本体内部に食品を収容した状態で電子レンジで加熱することが予定された包装用容器本体に被せる蓋であって、蓋体の天板部にレーザー光線のハーフカット加工により切込みを設けることで弁体を形成した包装用容器の蓋。
【請求項６】
ハーフカット加工による切残し厚みが０．０１ｍｍ〜０．１ｍｍである請求項５に記載の包装用容器の蓋。
【請求項７】
切込みの幅が、０．５〜１．０ｍｍである請求項５又は請求項６に記載の包装用容器の蓋。